(57)【要約】本発明は、ゲーム露出方法及びゲーム露出システムに関するものであって、このゲーム露出方法は、ゲームサイトを使用者端末機のエクスプローラの第１フォルダに表示する段階と、ゲームサイトで提供するゲームをエクスプローラの第２フォルダに表示する段階とを含む。本発明によれば、エクスプローラで作業をしながら容易にゲームポータルサイト及びゲームページにアクセスしてゲームを実行することができる。【選択図】図１
2009527043.tif 000002
【特許請求の範囲】
【請求項１】
ゲームサイトを使用者端末機のエクスプローラの第１フォルダに表示する段階と、
前記ゲームサイトで提供するゲームを前記エクスプローラの第２フォルダに表示する段階と、
を含むことを特徴とするゲーム露出方法。
【請求項２】
前記ゲームを表示する段階は、
前記ゲームが前記使用者端末機に設置されているか否かを確認する段階と、
前記確認する段階で前記ゲームが前記使用者端末機に設置されている場合に、前記ゲームを前記第２フォルダに表示する段階と、
を含むことを特徴とする請求項１に記載のゲーム露出方法。
【請求項３】
前記ゲームを表示する段階は、前記ゲームが前記使用者端末機に設置されている場合に、前記ゲームを前記第２フォルダに表示する段階を含むことを特徴とする請求項１に記載のゲーム露出方法。
【請求項４】
前記第２フォルダは、前記第１フォルダのサブフォルダであることを特徴とする請求項２または請求項３に記載のゲーム露出方法。
【請求項５】
前記第１フォルダが選択されると、前記エクスプローラの内容表示窓に前記ゲームサイトのウェブページが表示され、前記第２フォルダが選択されると、前記エクスプローラの内容表示窓に前記ゲームのウェブページが表示されることを特徴とする請求項１に記載のゲーム露出方法。
【請求項６】
前記第１フォルダが選択されると、前記エクスプローラの内容表示窓に前記ゲームサイトのウェブページが表示され、前記第２フォルダが選択されると、前記ゲームが実行されることを特徴とする請求項１に記載のゲーム露出方法。
【請求項７】
前記ゲームが前記使用者端末機から除去されると、前記第２フォルダは前記エクスプローラから削除されることを特徴とする請求項１に記載のゲーム露出方法。
【請求項８】
前記第１フォルダ及び前記第２フォルダは、それぞれ、第１アイコン及び第２アイコンと共に表示されることを特徴とする請求項１に記載のゲーム露出方法。
【請求項９】
前記エクスプローラのタイトルバー、メニュー、ツールバー及びステータスバーのうちの少なくともいずれか一つに前記ゲームサイト関連情報または前記ゲーム関連情報が表示されることを特徴とする請求項１に記載のゲーム露出方法。
【請求項１０】
所定のウェブサイトをエクスプローラの第１フォルダに表示する段階と、
前記所定のウェブサイトで提供するハイパーリンクを前記第１フォルダのサブフォルダである第２フォルダに表示する段階と、
前記第１フォルダが選択されると、前記所定のウェブサイトを前記エクスプローラの内容表示窓に表示する段階と、
前記第２フォルダが選択されると、前記ハイパーリンクに対応するウェブページを前記エクスプローラの内容表示窓に表示する段階と、
を含むことを特徴とするウェブサイト露出方法。
【請求項１１】
請求項１から請求項１０のいずれか一つに記載の露出方法をコンピュータに実行させるためのプログラムを記録したコンピュータ読取可能な記録媒体。
【請求項１２】
ゲーム露出プログラムを使用者端末機に伝送して前記使用者端末機に前記ゲーム露出プログラムを設置する第１サーバーを含み、
前記ゲーム露出プログラムは、ゲームサイトを前記使用者端末機のエクスプローラの第１フォルダに表示し、前記ゲームサイトで提供するゲームを前記エクスプローラの第２フォルダに表示することを特徴とするゲーム露出システム。
【請求項１３】
前記ゲーム露出プログラムは、前記ゲームが前記使用者端末機に設置されているか否かを確認し、前記ゲームが前記使用者端末機に設置されている場合に、前記ゲームを前記第２フォルダに表示することを特徴とする請求項１２に記載のゲーム露出システム。
【請求項１４】
前記ゲーム露出プログラムは、前記ゲームが前記使用者端末機に設置されている場合に、前記ゲームを前記第２フォルダに表示することを特徴とする請求項１２に記載のゲーム露出システム。
【請求項１５】
前記第２フォルダは、前記第１フォルダのサブフォルダであることを特徴とする請求項１３または請求項１４に記載のゲーム露出システム。
【請求項１６】
前記第１フォルダが選択された場合に、前記ゲームサイトのウェブページが前記エクスプローラの内容表示窓に表示され、前記第２フォルダが選択された場合に、前記ゲームのウェブページが前記エクスプローラの内容表示窓に表示されるように、前記ゲームサイトのウェブページ情報を前記使用者端末機に伝送する第２サーバーを更に含むことを特徴とする請求項１２に記載のゲーム露出システム。
【請求項１７】
前記第１フォルダが選択されると、前記エクスプローラの内容表示窓に前記ゲームサイトのウェブページが表示されるように前記ゲームサイトのウェブページ情報を前記使用者端末機に伝送する第２サーバーと、
前記第２フォルダが選択されると、前記ゲームが遂行されるように前記使用者端末機と通信する第３サーバーと、
を更に含むことを特徴とする請求項１２に記載のゲーム露出システム。
【請求項１８】
前記ゲーム露出プログラムは、前記ゲームが前記使用者端末機から除去されると、前記第２フォルダを前記エクスプローラから削除することを特徴とする請求項１２に記載のゲーム露出システム。
【請求項１９】
前記ゲーム露出プログラムは、前記第１フォルダ及び前記第２フォルダを、それぞれ、第１アイコン及び第２アイコンと共に表示する請求項１２に記載のゲーム露出システム。
【請求項２０】
前記ゲーム露出プログラムは、前記エクスプローラのタイトルバー、メニュー、ツールバー及びステータスバーのうちの少なくともいずれか一つに前記ゲームサイト関連情報または前記ゲーム関連情報を表示することを特徴とする請求項１２に記載のゲーム露出システム。
【発明の詳細な説明】
【技術分野】
【０００１】
本発明はゲーム露出方法及びゲーム露出システムに関するものである。
【背景技術】
【０００２】
最近、コンピュータの発達と超高速インターネットの普及に伴い、オンライン上で使用者間にリアルタイムでゲームを遂行できるオンラインゲームが急速に発展している。このようなオンラインゲームによれば、使用者は使用者端末機のハードディスクドライブにゲームプログラムを設置（インストール）しておき、インターネットを通じて外部のサーバーと接続して他の使用者とゲームを楽しむことができる。
【０００３】
使用者端末機で使用者がオンラインゲームを実行するための方法としては多様なものがある。ウェブブラウザーを実行して当該オンラインゲームを提供するゲームサイトに接続した後、当該オンラインゲームをマウスでクリックする方法、ウィンドウズのスタートメニューを通じてプログラムリストで当該オンラインゲームを探して実行する方法、当該オンラインゲームのアイコンがウィンドウのデスクトップに表示されている場合、デスクトップへ行って当該ゲームアイコンをクリックする方法、そして、ウィンドウズエクスプローラで当該オンラインゲームが設置されているフォルダを探し、当該フォルダ内にあるオンラインゲーム実行ファイルをクリックする方法などがある。
【０００４】
つまり、ゲームを実行するまで使用者は複数の段階を経なければならず、相当な回数のマウス操作またはキーボード操作を行われなければならない。
【発明の開示】
【発明が解決しようとする課題】
【０００５】
したがって、本発明が解決しようとする技術的課題は、使用者が容易にゲームを実行できるようにするゲーム露出方法及びゲーム露出システムを提供することにある。
【課題を解決するための手段】
【０００６】
前記技術的課題を解決するための本発明の一態様によるゲーム露出方法は、ゲームサイトを使用者端末機のエクスプローラの第１フォルダに表示する段階と、前記ゲームサイトで提供するゲームを前記エクスプローラの第２フォルダに表示する段階とを含むことを特徴とする。
【０００７】
また、前記ゲームを表示する段階は、前記ゲームが前記使用者端末機に設置されているか否かを確認する段階と、前記確認段階で前記ゲームが前記使用者端末機に設置されている場合に、前記ゲームを前記第２フォルダに表示する段階とを含むように構成することができる。
【０００８】
また、前記ゲームを表示する段階は、前記ゲームが前記使用者端末機に設置されている場合に、前記ゲームを前記第２フォルダに表示する段階を含むように構成することができる。
【０００９】
また、前記第２フォルダは、前記第１フォルダのサブフォルダであるように構成することができる。
【００１０】
また、前記第１フォルダが選択されると、前記エクスプローラの内容表示窓に前記ゲームサイトのウェブページが表示され、前記第２フォルダが選択されると、前記エクスプローラの内容表示窓に前記ゲームのウェブページが表示されるように構成することができる。
【００１１】
また、前記第１フォルダが選択されると、前記エクスプローラの内容表示窓に前記ゲームサイトのウェブページが表示され、前記第２フォルダが選択されると、前記ゲームが実行されるように構成することができる。
【００１２】
また、前記ゲームが前記使用者端末機で除去されると、前記第２フォルダは前記エクスプローラで削除されるように構成することができる。
【００１３】
また、前記第１フォルダ及び第２前記フォルダは、それぞれ、第１アイコン及び第２アイコンと共に表示されるように構成することができる。
【００１４】
また、前記エクスプローラのタイトルバー、メニュー、ツールバー及びステータスバーのうちの少なくともいずれか一つに前記ゲームサイト関連情報または前記ゲーム関連情報が表示されるように構成することができる。
【００１５】
また、本発明の他の態様によるウェブサイト露出方法は、所定のウェブサイトをエクスプローラの第１フォルダに表示する段階と、前記所定のウェブサイトで提供するハイパーリンクを前記第１フォルダのサブフォルダである第２フォルダに表示する段階と、前記第１フォルダが選択されると、前記所定のウェブサイトを前記エクスプローラの内容表示窓に表示する段階と、前記第２フォルダが選択されると、前記ハイパーリンクに対応するウェブページを前記エクスプローラの内容表示窓に表示する段階とを含むことを特徴とする。
【００１６】
また、本発明の他の態様によるコンピュータ読取可能な記録媒体は、前記の露出方法のいずれか一つをコンピュータに実行させるためのプログラムが記録される。
【００１７】
また、本発明の他の態様によるゲーム露出システムは、ゲーム露出プログラムを使用者端末機に伝送して前記使用者端末機に前記ゲーム露出プログラムを設置する第１サーバーを含み、前記ゲーム露出プログラムは、ゲームサイトを前記使用者端末機のエクスプローラの第１フォルダに表示し、前記ゲームサイトで提供するゲームを前記エクスプローラの第２フォルダに表示することを特徴とする。
【００１８】
前記ゲーム露出プログラムは、前記ゲームが前記使用者端末機に設置されているか否かを確認し、前記ゲームが前記使用者端末機に設置されている場合に、前記ゲームを前記第２フォルダに表示するように構成することができる。
【００１９】
前記ゲーム露出プログラムは、前記ゲームが前記使用者端末機に設置されると、前記ゲームを前記第２フォルダに表示するように構成することができる。
【００２０】
前記第２フォルダは、前記第１フォルダのサブフォルダであるように構成することができる。
【００２１】
前記第１フォルダが選択されると、前記ゲームサイトのウェブページが前記エクスプローラの内容表示窓に表示され、前記第２フォルダが選択されると、前記ゲームのウェブページが前記エクスプローラの内容表示窓に表示されるように前記ゲームサイトのウェブページ情報を前記使用者端末機に伝送する第２サーバーを更に含むように構成することができる。
【００２２】
前記第１フォルダが選択されると、前記エクスプローラの内容表示窓に前記ゲームサイトのウェブページが表示されるように前記ゲームサイトのウェブページ情報を前記使用者端末機に伝送する第２サーバーと、前記第２フォルダが選択されると、前記ゲームが遂行されるように前記使用者端末機と交信する第３サーバーとを更に含むように構成することができる。
【００２３】
前記ゲーム露出プログラムは、前記ゲームが前記使用者端末機で除去されると、前記第２フォルダを前記エクスプローラで削除するように構成することができる。
【００２４】
前記ゲーム露出プログラムは、前記第１フォルダ及び前記第２フォルダを、それぞれ、第１アイコン及び第２アイコンと共に表示するように構成することができる。
【００２５】
前記ゲーム露出プログラムは、前記エクスプローラのタイトルバー、メニュー、ツールバー及びステータスバーのうちの少なくともいずれか一つに前記ゲームサイト関連情報または前記ゲーム関連情報を表示するように構成することができる。
【発明の効果】
【００２６】
このようにコンピュータで頻繁に使用されるエクスプローラウィンドウにゲームポータルサイト及びゲームの名前をフォルダ形式で表示することによって、エクスプローラで作業しながらゲームポータルサイト及びゲームページに容易にアクセスでき、当該ゲームプログラムを容易に実行することができる。また、エクスプローラウィンドウにウェブページ以外にもゲームポータルサイトの広報物及びゲーム関連情報などを露出することによって、ゲームポータルで提供するサービスについて知らせたり、広告などで活用することができる。
【発明を実施するための最良の形態】
【００２７】
以下、添付した図面を参照しながら本発明の好適な実施例について、本発明が属する技術分野において通常の知識を有する者が容易に実施できるように詳しく説明する。
【００２８】
先ず、図１及び図２を参照しながら本発明の一実施例によるゲーム露出システムについて詳細に説明する。
【００２９】
図１は本発明の一実施例によるゲーム露出システムのブロック図であり、図２は本発明の一実施例によるゲーム露出システムの使用者端末機のブロック図である。
【００３０】
図１を参照すると、本発明の一実施例によるゲーム露出システムは、ウェブサーバー１００、ダウンロードサーバー１３０、そして、ゲームサーバー１５０を含み、これらのウェブサーバー１００、ダウンロードサーバー１３０、ゲームサーバー１５０はインターネット１０を通じて複数の使用者端末機２００と連結（接続）されている。
【００３１】
ウェブサーバー１００は、使用者端末機２００にゲームポータルサイトを表示し、ゲームポータルサイトを通じてウェブサーバー１００にアクセスする使用者に対する認証を行う。ゲームポータルサイトは、ゲーム供給者が提供する多様な種類の多様なゲームを羅列しており、使用者の選択により当該ゲームのウェブページにアクセスして当該ゲームを実行できるようにする。
【００３２】
ダウンロードサーバー１３０は、ゲーム露出プログラム及びゲームプログラムを使用者端末機２００に伝送して使用者端末機２００にゲーム露出プログラム及びゲームプログラムを設置（install）する。また、ダウンロードサーバー１３０は、これらのプログラムが旧バージョンである場合、新たなバージョンのプログラムを伝送してプログラムを更新（update）する。
【００３３】
ゲームサーバー１５０は、使用者端末機２００とゲーム関連データの送受信を行って使用者がゲームを行うことができるようにする。つまり、ゲームサーバー１５０は、データベース（図示せず）を参照してゲームロジック及びゲームセッティング情報に基づいてゲームを進行させる。
【００３４】
なお、ダウンロードサーバー１３０がゲーム露出プログラムを使用者端末機２００に伝送するものとして説明したが、ウェブサーバー１００またはゲームサーバー１５０がゲーム露出プログラムを使用者端末機２００に伝送して設置させるように構成することもできる。
【００３５】
図２に示すように、使用者端末機２００はインターネット１０を通じてウェブサーバー１００、ダウンロードサーバー１３０及びゲームサーバー１５０と通信を行う通信部２２０、ダウンロードサーバー１３０からダウンロードしたゲーム露出プログラムを保存するストレージ（記憶部）２３０、使用者端末機２００の環境設定及び各種システムに関する情報を保存するレジストリー２４０、表示部２５０、そして、これらを制御する制御部２１０を含む。制御部２１０は、ウィンドウズ（Windows（登録商標））オペレーティングシステムにより動作し、特に、ウィンドウズエクスプローラ（Windows  Explorer、以下、エクスプローラという）を使用して使用者端末機２００にゲームを露出させる。エクスプローラは、ウィンドウズオペレーティングシステムで最も多く使用されるプログラムのうちの一つとして、一般にシステムを構成する多くの客体、例えばフォルダ、プリンタ、ネットワーク客体（object）などを共に集めること、これらと通信すること、そして、階層的構造を使用してエクスプローラウィンドウにそのような客体の内容を表示することなどを行う。
【００３６】
使用者端末機２００は、デスクトップコンピュータだけではなく、ノートパソコン、ワークステーション、パームトップ（palm  top）コンピュータ、個人携帯情報端末機（personal  digital  assistant、ＰＤＡ）、ウェブパッド、移動通信端末器などのように有線または無線でインターネット１０に接続して情報のやり取りを行うことができる機器により具現され得る。
【００３７】
インターネット１０は、無線、有線を問わずに如何なる伝送方式でも関係ない。
【００３８】
次に、ゲーム露出プログラムを使用者端末機２００に設置する方法について詳細に説明する。
【００３９】
先ず、使用者が使用者端末機２００のウェブブラウザーを通じてゲームポータルサイトに接続して使用者ＩＤ及びパスワードを入力すると、ウェブサーバー１００は使用者認証を行う。その後、ウェブサーバー１００は使用者端末機２００のクッキーを読み取り、当該クッキーに含まれるゲーム露出プログラムの設置如何（設置有無）及び拒絶履歴について照会（チェック）する。ウェブサーバー１００は、使用者端末機２００にゲーム露出プログラムが設置されておらず、かつ、設置について拒絶していない場合、使用者にゲーム露出プログラムの設置如何を問合せる。ここで、使用者認証は必ずしも必要なものではなく、ウェブサーバー１００は使用者認証を行わずにゲーム露出プログラムの設置如何を問合せることもできる。ゲーム露出プログラムが設置されていたり、設置についてユーザが拒絶した場合、ウェブサーバー１００はゲーム露出プログラムの設置如何について問合せない。
【００４０】
ウェブサーバー１００の問い合わせについて使用者が設置を拒絶すると、クッキーにこれを記録し、次の接続時に参照する。使用者が設置を承認すると、ダウンロードサーバー１３０はゲーム露出プログラムを使用者端末機２００にダウンロードする。
【００４１】
ダウンロードが完了されると、使用者端末機２００においてゲーム露出プログラムが実行される。ゲーム露出プログラムは、一例として「HgExplorer.dll」と命名したDLL（dynamic  linking  library）ファイルを含む。ゲーム露出プログラムが実行されると、「HgExplorer.dll」ファイルはストレージ２３０に保存され、レジストリー２４０に登録される。「HgExplorer.dll」は使用者端末機２００に設置されているゲームプログラムをエクスプローラに表示する役割を果たす。
【００４２】
一方、ウェブサーバー１００は、このようなゲーム露出プログラムをゲームポータルサイトに別途に掲示したり、一般のダウンロード掲示板に掲示して使用者がいつでもダウンロードして設置できるようにする。また、ウェブサーバー１００は「HgExplorer.dll」ファイルのみを掲示して使用者がダウンロードするようにでき、使用者はregsrv32.exeというユーティリティーを利用して「HgExplorer.dll」ファイルを使用者端末機２００のレジストリー２４０に手動で登録することができる。また、ゲーム露出プログラムは必ずしもDLL形態のファイルを備える必要はなく、「HgExplorer.dll」ファイルと類似する機能をするファイルである場合、如何なる形態でも関係ない。
【００４３】
また、これとは異なり、インターネット１０を通じてダウンロードサーバー１３０などからゲーム露出プログラムの伝送を受けて設置するのではなく、CD（compact  disk）やDVD（digital  versatile  disk）などの所定の保存媒体を利用してゲーム露出プログラムを設置することもできる。例えば、PCゲームでのように所定の保存媒体を利用してゲームプログラムを設置する方式において、所定の保存媒体にゲームプログラムと共にゲーム露出プログラムを記録しておけば、使用者端末機２００にゲームプログラムを設置しながらゲーム露出プログラムも共に設置できるようになる。
【００４４】
あるいは、使用者端末機２００に設置されているゲームプログラムと関係なく、ゲーム露出プログラムを設置する際、使用者がゲームポータルサイト内のゲームプログラムを選択するようにし、選択されたゲームプログラムをエクスプローラに表示することもできる。
【００４５】
エクスプローラを実行すると、制御部２１０はレジストリー２４０に登録されている「HgExplorer.dll」ファイルを実行する。これによって、制御部２１０はレジストリー２４０を参照してゲームポータルサイトに羅列されているゲームプログラムのうち、使用者端末機２００に設置されているゲームプログラムを照会（チェック）する。その後、ゲームポータルサイトの名前を一つのフォルダで作り、使用者端末機２００に設置されているゲームの名前のサブフォルダをそのフォルダのサブフォルダとして作る。最終的に、制御部２１０は、表示部２５０にエクスプローラウィンドウ（window）を開き、エクスプローラウィンドウにこれらのフォルダ及びサブフォルダを表示する。一般に、エクスプローラアイコンをダブルクリックすると、エクスプローラウィンドウが開かれながらエクスプローラが実行されると知られているが、実際にエクスプローラは、システムをブーティングする時から電源を消す時まで常時実行されており、エクスプローラウィンドウが開かれることはエクスプローラの一部のプロセスに過ぎない。しかしながら、説明の便宜のためにこの二つを混用して使うこととする。
【００４６】
先ず、ゲーム露出プログラムが使用者端末機２００に設置されると、その後、ゲームポータルサイト内の他のゲームプログラムを使用者端末機２００に設置してもこれに関する情報がレジストリー２４０に記録されるので、新たに設置されたゲームプログラムもその名前がエクスプローラウィンドウに表示される。また、その後に使用者端末機２００においてゲームプログラムを除去（uninstall）すれば、除去されたゲームはエクスプローラウィンドウから消える。
【００４７】
このようにゲームポータルサイトと関連ゲームの名前をフォルダ構造としてエクスプローラに表示することによって、使用者がエクスプローラ作業をしながらゲームが露出され、ゲームにアクセスすることが容易になる。
【００４８】
次に、エクスプローラウィンドウにゲームを表示することについて図３乃至図５を参照してより詳細に説明する。以下、「HanGame」というゲームポータルサイトを一例として説明する。
【００４９】
図３乃至図５は本発明の一実施例において、エクスプローラにゲームを表示した後の、エクスプローラウィンドウの画面をキャプチャーした図面である。
【００５０】
エクスプローラを実行すると、図３に示すエクスプローラウィンドウ３００が開かれる。エクスプローラウィンドウ３００は、タイトルバー３１０、メニューバー３２０、ツールバー３３０、アドレスバー３４０、フォルダ窓３５０、内容表示窓３６０、そして、ステータスバー３７０を含む。
【００５１】
タイトルバー３１０には現在選択されたドライブまたはフォルダが表示される。図３では「マイコンピュータ」が選択されて表示されている。メニューバー３２０にはエクスプローラの各種機能を実行するためのメニューが表示される。ツールバー３３０にはメニュー機能をより早くかつ簡単に実行できるツールが表示される。アドレスバー３４０には現在開いているフォルダまたはファイルの経路（path）が表示される。
【００５２】
フォルダ窓３５０にはシステムに設置された全てのドライブとプログラム、そして、フォルダが表示される。フォルダ窓３５０に表示されている項目左側の「+」及び「−」記号を選択することによって、当該項目の下位項目が表示されたり、隠されたりする。
【００５３】
内容表示窓３６０にはフォルダ窓３５０で選択された項目の内容が表示される。図３に示すように、フォルダ窓３５０で「マイコンピュータ」が選択され、内容表示窓３６０には「マイコンピュータ」内に入っているドライブ及び装置が表示されている。内容表示窓３６０に表示されている項目をダブルクリックすると、更にその下位項目が表示される。項目はドライブ、フォルダ、ファイルなどであってもよく、フォルダをダブルクリックすると、そのサブフォルダ及びファイルが表示され、ファイルをダブルクリックすると、ファイルと連結されたプログラムが実行されながらファイル内容を確認できる。
【００５４】
ステータスバー３７０は、現在選択されたドライブやフォルダに入っているフォルダ及びファイルの個数、残りのディスク空間などが表示される。
【００５５】
フォルダ窓３５０に表示されているフォルダなどは全てツリー構造からなっている。図３に示すように、フォルダ窓３５０の最も上位には「デスクトップ」があり、その下位項目で「マイドキュメント」、「マイコンピュータ」、「マイネットワーク」、「ごみ箱」、そして、「HanGame」が表示されている。そして、「マイコンピュータ」の下にディスク、ドライブ及びコントロールパネルがサブフォルダで表示されており、「HanGame」の下に「囲碁」、「新ユンノリ」、「四川省」、「新マッゴ」、そして、「テトリスワールド」というゲームの名前がサブフォルダで表示されている。このようにエクスプローラのフォルダ窓３５０に「HanGame」及び関連ゲームが表示されることは、このようなゲームが使用者端末機２００に設置されており、かつ、ゲーム露出プログラムを設置した結果である。
【００５６】
このようなカスタムフォルダは一般のフォルダの属性をそのまま有するので、「HanGame」アイコン左側の「+」及び「−」記号を選択することによって、ゲームサブフォルダを表示したり隠すようにできる。また、「HanGame」及び各ゲームフォルダに対してコンテキストメニュー（context  menu）を設定でき、削除、名前の変更、ショートカットの作成、属性などのメニューが指示する動作を行うことができる。例えば、フォルダ窓３５０でマウスの右クリックした後に削除を選択すると、ゲームフォルダを削除でき、ゲームフォルダを選択した後にキーボードのDeleteキーを利用して削除できる。しかしながら、フォルダ窓３５０でゲームフォルダが削除されても当該ゲームプログラムは除去されない。
【００５７】
ここで、各ゲームフォルダの前に表示されているアイコンは便宜上「HanGame」アイコンと同一なものを使用した。しかしながら、各ゲームに該当するアイコンに変更でき、そうすれば各ゲームへのアクセス性がより向上する。
【００５８】
エクスプローラはウェブページを表示するウェブビューを支援する。したがって、通常のウェブブラウザーで表示されるウェブページと同一な方式でウェブページを内容表示窓３６０に表示できる。また、表示されたウェブページにあるハイパーリンクにより他のページに移動でき、ウェブブラウザーのようにウェブサーフィンすることもできる。
【００５９】
フォルダ窓３５０に表示されているゲームフォルダをクリックすると、内容表示窓３６０に当該ゲームのウェブページを表示できる。つまり、図４に示すように、フォルダ窓３５０で「HanGame」が選択された場合、使用者端末機２００はウェブサーバー１００に接続して当該ウェブページの情報を受信し、エクスプローラの内容表示窓３６０に「HanGame」ポータルサイトのメインページを表示する。メインページには「HanGame」ポータルで提供する多様なゲームが種類別に配列されている。同様に、図５に示すように、フォルダ窓３５０で「新マッゴ」が選択された場合、内容表示窓３６０に「新マッゴ」に該当するウェブページが表示される。もちろん、エクスプローラウィンドウ２００が図４の状態である場合に、内容表示窓３６０に表示されているハイパーリンク「新マッゴ」をクリックしても、内容表示窓３６０は「新マッゴ」に該当するウェブページに変更される。
【００６０】
内容表示窓３６０に表示されているゲームページでゲームスタートボタンまたはゲームチャンネルをクリックすると、使用者端末機２００に設置されているゲームプログラムが実行され、これによって使用者端末機２００はゲームサーバー１５０に接続して当該ゲームを行うことができる。
【００６１】
場合によっては、フォルダ窓３５０に表示されているゲームフォルダを選択すると、直接ゲームプログラムが実行されて当該ゲームを行うこともできる。
【００６２】
使用者認証に行われていない状態で使用者がゲームフォルダを選択する場合、場合によっては当該ゲームのウェブページにアクセスできずに使用者認証ウェブページが開かれることもある。しかしながら、使用者認証が行われている状態ではゲームフォルダの選択を変更してもこの状態は維持され、選択されたゲームのウェブページが内容表示窓３６０に表示されて当該ゲームを実行することができる。
【００６３】
エクスプローラウィンドウ３００のメニューバー３２０、ツールバー３３０またはステータスバー３７０にゲームの名前及びゲーム関連メニューを表示することもでき、ゲームのバージョン、容量及び告知事項など、ゲーム関連情報を表示することもできる。また、内容表示窓３６０にゲームページを表示せずにゲーム関連情報及び多様な広報物を表示することもできる。
【００６４】
一方、フォルダ窓３５０にゲームポータルサイトの名前及びゲームの名前を表示するものと説明したが、これらの名前の代わりに、例えば、ロゴ、ニックネーム、略称などのようにゲームポータルサイト及びゲームを特定できるものを表示することもできる。また、フォルダ窓３５０に表示されたゲームポータルサイト及びゲームの名前などは使用者の「名前の変更」により使用者が希望する名前に変更して表示されることもある。
【００６５】
次に、このようにエクスプローラにゲームフォルダを表示する「HgExplorer.dll」ファイルについて図６を参照してより詳細に説明する。
【００６６】
図６は本発明の一実施例によりエクスプローラにゲームを表示するためのプログラム（HgExplorer.dll）のクラスダイアグラムである。
【００６７】
図６に示すように、「HgExplorer.dll」は、CComObjectRootEx４００、CComCoClass４１１、４１２、４１３、４１４、CAtldllModuleT４２０、CHgShellFolder４３０、CHgShellView４４０、CHgExtractIcon４５０、CHgEnumIDList４６０、CPidlMgr４７０、CMWebControl４８０、CHgExplorerModule４９０、CRegUtil４９２、CStringUtil４９４などのクラスを含む。
【００６８】
CComObjectRootEx４００及びCComCoClass４１１〜４１４は、ATL（active  template  library）の基本クラスであって、COM（component  object  model）基盤技術を応用する時、必ず継承リストに含まれなければならないクラスである。
【００６９】
CAtldllModuleT４２０もATLで提供されるクラスであって、DLLアプリケーションプログラムで使用され、標準送出し用コードを提供する。
【００７０】
CHgShellFolder４３０はエクスプローラがフォルダ窓３５０に「HanGame」及びゲームフォルダを表示するために最初に要請するクラスであって、このクラスは自分だけでなく、他のクラスの客体を生成してエクスプローラに伝達するインターフェースの役割を果たす。
【００７１】
CHgShellView４４０は、エクスプローラの内容表示窓３６０の画面を生成するクラスであって、フォルダ窓３５０で選択されたゲームフォルダに関するウェブページを内容表示窓３６０に表示する。
【００７２】
CHgExtractIcon４５０は、フォルダ窓３５０のフォルダに表示されるアイコンをコントロールできるクラスである。
【００７３】
CPidlMgr４７０は、PIDL（pointer  to  item  identifier list）を生成、削除、コピー及び管理する。PIDLは、フォルダを含んでエクスプローラ内部にある項目を識別できるようにする識別子である。このクラスはCHgShellFolder４３０とCHgEnumIDList４６０内の客体で含まれる。
【００７４】
CHgEnumIDList４６０は、PIDLに基づいて「HanGame」フォルダ内にある全ての項目、つまり、ゲームフォルダを羅列し、全体PIDLのリストに追加してエクスプローラにリターンする。
【００７５】
CMWebControl４８０は、インターネットエクスプローラ（Internet  Explorer）を制御することに使用できるインターフェースであるIWebBrowser２を具現したものであって、「HanGame」サイト及びゲームページをエクスプローラの内容表示窓３６０にインターネットエクスプローラと共に表示できるようにする。このクラスはCHgShellView４４０内の客体で含まれる。
【００７６】
CHgExplorerModule４９０は、ATLで作成されたプロジェクト全体を管理するメインモジュールである。COM具現のために必要な各種Operationが具現されており、自動的に生成されるクラスである。
【００７７】
CRegUtil４９２は、レジストリー２４０にアクセスする関数を集めておいたユーティリティークラスであって、レジストリー２４０にアクセスして使用者端末機２００に設置されているゲームプログラムを検索することができる。
【００７８】
CStringUtil４９４は、ストリングを管理する関数を集めておいたユーティリティークラスである。
【００７９】
上記でマイクロソフト社のウィンドウズオペレーティングシステムで実行されるエクスプローラに「HanGame」及び関連ゲームをフォルダで表示することについて説明した。しかしながら、ウィンドウズと異なるオペレーティングシステム、つまり、ＩＢＭ社のＯＳ/２、アップル社のマック ＯＳ 、ユニックス、またはリナックスなどのオペレーティングシステムで実行されても、エクスプローラと同一な機能をする。つまり、グラフィックユーザインターフェース（graphic  user  interface、GUI）を提供し、フォルダ及びファイルを表示するプログラムにも同一に適用することができる。
【００８０】
また、「HanGame」というゲームポータルに限らず、検索ポータル、コミュニティポータル及び一般のウェブサイトなどにも同一に適用することができる。例えば、検索ポータルサイトの名前を上位フォルダとし、辞書、ニュース、ショッピング、本などのような下位ページの名前をそのサブフォルダとしてエクスプローラウィンドウに表示できる。
【００８１】
本発明の実施例は多様なコンピュータで具現される動作を行うためのプログラム命令を含むコンピュータで読取可能な記録媒体を含む。この記録媒体は、上述したゲーム露出方法を実行させるためのプログラムまたはゲーム露出プログラムに含まれているＤＬＬファイルを記録する。また、この記録媒体はプログラム命令、データファイル、データ構造などを単独または組み合わせて含むことができる。このような記録媒体の例としては、ハードディスク、フロッピー（登録商標）ディスク及び磁気テープのような磁気媒体、ＣＤ及びＤＶＤのような光記録媒体、フロプティカルディスク（floptical  disk）と磁気−光媒体、ＲＯＭ、ＲＡＭ、フラッシュメモリなどのようなプログラム命令を保存し遂行するように構成されたハードウェア装置などを含む。また、このような記録媒体としては、プログラム命令、データ構造などを指定する信号を伝送する搬送波を含む光または金属線、導波管などの伝送媒体であってもよい。プログラム命令の例としては、コンパイラーにより作られるような機械語コードだけではなく、インタープリタなどを使用してコンピュータにより実行される高級言語コードが含まれる。
【００８２】
以上、本発明を好適な実施例に則して詳細に説明したが、本発明の権利範囲はこれに限定されず、特許請求の範囲で定義している本発明の基本概念を利用した当業者の多様な変形及び改良形態もまた本発明の権利範囲に属する。
【産業上の利用可能性】
【００８３】
このようにコンピュータで頻繁に使用するエクスプローラウィンドウにゲームポータルサイト及びゲームの名前をフォルダ形式で表示することによって、エクスプローラで作業しながらゲームポータルサイト及びゲームページに容易にアクセスでき、当該ゲームプログラムを容易に実行することができる。また、エクスプローラウィンドウにウェブページ以外にもゲームポータルサイトの広報物及びゲーム関連情報などを露出することによって、ゲームポータルで提供するサービスについて知らせたり、広告などで活用することができる。
【図面の簡単な説明】
【００８４】
【図１】本発明の一実施例におけるゲーム露出システムのブロック図である。
【図２】本発明の一実施例におけるゲーム露出システムの使用者端末機のブロック図である。
【図３】本発明の一実施例におけるエクスプローラにゲームを表示した後、エクスプローラウィンドウの画面をキャプチャーした図面である。
【図４】本発明の一実施例におけるエクスプローラにゲームを表示した後、エクスプローラウィンドウの画面をキャプチャーした図面である。
【図５】本発明の一実施例におけるエクスプローラにゲームを表示した後、エクスプローラウィンドウの画面をキャプチャーした図面である。
【図６】本発明の一実施例におけるエクスプローラにゲームを表示するためのプログラムのクラスダイアグラムである。
【図１】
2009527043.tif 000003
【図２】
2009527043.tif 000004
【図３】
2009527043.tif 000005
【図４】
2009527043.tif 000006
【図５】
2009527043.tif 000007
【図６】
2009527043.tif 000008
【国際調査報告】
2009527043.tif 000009
2009527043.tif 000010
2009527043.tif 000011